(57)【特許請求の範囲】
【請求項１】
住宅の室における室外側に面した壁の一部を室外側へ膨張させるように前記壁に対して垂直な垂直壁部と前記壁に対して平行な水平壁部とからなる膨出壁部を形成することによりこの膨出壁部の内方の室内側に空洞部を設け、該空洞部内に前記水平壁部と平行に所定の間隔を隔てて窓板を有する窓を設けるとともに、この窓と膨出壁部との間の空洞部内で前記窓の幅方向外方または上下方向外方の前記水平壁部に照明器具を配置したことを特徴とする間接照明構造。
【請求項２】
上記膨出壁部の内面に光反射層を設けたことを特徴とする請求項１記載の間接照明構造。
【請求項３】
上記窓板は不透明ガラス板等の不透明部材からなることを特徴とする請求項１又は２のいずれかに記載の間接照明構造。
【請求項４】
上記窓の室内側に飾り棚を略水平に設けたことを特徴とする請求項１乃至３のいずれか記載の間接照明構造。
【発明の詳細な説明】
【０００１】
【発明の属する技術分野】
本発明は、窓の外側（裏側）に配置した照明器具で窓を通して間接的に照明する間接照明構造に関するものである。
【０００２】
【従来の技術】
住宅等で使用する照明器具は、形式の点からは、天井に取り付けるシーリングライト、天井に埋め込むダウンライト、天井から吊り下げるペンダントライト、壁に取り付けるブラケット、照明光の照射方向が可変なスポットライト、床上等に配置するスタンド等種々のものがある。
【０００３】
また、各種形式の照明器具で用いる光源としては、各種蛍光ランプや白熱ランプ等の照明光の質の異なる種々のものが提供されており、ユーザは自らの嗜好に合わせて、所望の形式の照明器具に所望の光源を取り付けて使用できる。
【０００４】
【発明が解決しようとする課題】
ところが、従来の照明器具は、室内等、照明したい箇所に照明器具から光を直接照射する直接照明方式であった。係る直接照明方式においても、例えば、光源の種類を選択したり、光源に色フィルタを取り付ける等の工夫により、単なる実用上の明かりとしての照明効果以外に装飾効果を得ることも可能である。しかしながら、ユーザの好みが多様化している現状では、さらに異なる照明効果を得ることのできる照明手法の開発が求められていた。
【０００５】
【課題を解決するための手段】
本発明は、上記の課題を解決するため、窓の外側（裏側）から窓を通して室内を間接的に照明する間接照明構造を提供することを目的とするものである。
【０００６】
そのため、本発明の請求項１の間接照明構造は、住宅の室における室外側に面した壁の一部を室外側へ膨出させるように前記壁に対して垂直な垂直壁部と前記壁に対して平行な水平壁部とからなる膨出壁部を形成することによりこの膨出壁部の内方の室内側に空洞部を設け、該空洞部内に前記水平壁部と平行に所定の間隔を隔てて窓板を有する窓を設けるとともに、この窓と膨出壁部との間の空洞部内で前記窓の幅方向外方または上下方向外方の前記水平壁部に照明器具を配置したことを特徴とするものである。
【０００７】
ここで、上記膨出壁部を「室外側」へ膨出させるとは、例えば、当該室が屋外に面している場合は、屋外側へ膨出させることができる。また、当該室に隣接して廊下が設けられている場合は、廊下側へ膨出させることができ、当該室に隣接して他の室が設けられている場合は、他の室側へ膨出させることができる。いずれにしても、当該室から外方へ膨出していればよい。また、上記「窓」は、スライド開閉式、回動開閉式、固定式等種々の形式のものであってよく、障子状のもの等も含む。
【０００８】
請求項２の間接照明構造は、請求項１の構成において、上記膨出壁部の内面に光反射層を設けたことを特徴とするものである。
【００１１】
請求項３の間接照明構造は、請求項１又は２のいずれかの構成において、上記窓板は不透明ガラス板等の不透明材からなることを特徴とする。上記不透明材は、例えば、紙材料等であってもよく、また、半透明ガラス等の半透明材を含む。
【００１３】
請求項４記載の間接照明構造は、請求項１乃至３のいずれかの構成において、上記窓の室内側に飾り棚を略水平に設けたこと特徴とするものである。
【００１４】
【発明の実施の形態】
以下、本発明の実施の形態を図面に基づいて説明する。図１に本実施の形態の階段下構造を有する２階建ての住宅１の１階部分の平面図を示す。玄関２の奥側にホール３が設けられ、このホール３の左側に隣接して２つの和室４、５が配置されている。和室５の奥側の住宅１の左奥のコーナ部に納戸６が設けられ、この納戸６の右側に、順次、浴室７、洗面兼脱衣室８、便所９が設けられている。
【００１５】
ホール３の右側に隣接して居間１１が設けられ、この居間１１の奥側に茶の間１２が、その右側に厨房１３が配置されている。なお、ホール３内には、２階部分へ通ずる階段１４が設けられている。図２にも示すように、茶の間１２内にはテーブル１５や複数の座布団１６等が配置されている。そして、茶の間１２内の左奥のコーナ部には、本実施の形態に係る間接照明構造１７が設けられている。
【００１６】
図３乃至図５にも示すように、間接照明構造１７の位置で、住宅１の壁１８は茶の間１２の室外側、ここでは屋外側へ膨出され、膨出壁部２０が形成されている。これにより、膨出壁部２０の室内側に空洞部２１が構成されている。上記膨出壁部２０は、壁１８と垂直な垂直壁部２０ａと、壁１８と平行な水平壁部２０ｂからなる。なお、図３中２２は前記便所９との間の仕切り壁である。
【００１７】
図３中拡大図Ａに示すように、膨出壁部２０を含む壁１８は、例えば、内外一対のパネル２３、２４を有し、これらパネル２３、２４間の隙間に所定の間隔で柱２５が配置されている。また、室内側のパネル２３の表面には表面層２６が所定の厚みで塗布されている。
【００１８】
膨出壁部２０における垂直壁部２０ａ及び仕切り壁２２は、壁１８の近傍の厚みＴ１が水平壁部２０ｂの近傍の厚みＴ２より大きく形成されている。そして、空洞部２１内において、上記垂直壁部２０ａ及び仕切り壁２２の厚みの大きい部分の水平壁部２０ｂ寄りの端部に窓２７が設けられている。この窓２７は膨出壁部２０における水平壁部２０ｂと平行に配置されるとともに、該水平壁部２０ｂとの間に所定の間隔が隔てられている。
【００１９】
図６に示すように、窓２７は窓枠２８を有し、この窓枠２８は下方が開いたコ字形を成している。窓枠２８の左右一対の側枠３０は、垂直壁部２０ａ及び仕切り壁２２の対応位置に埋め込み状態で支持されている。一方、窓枠２８の上枠３１は、膨出壁部２０の上端部に設けられた上壁部２０ｃ（図５参照）により支持されている。
【００２０】
窓枠２８の下端部の下方には、下段の飾り棚３２が略水平に配置されている。この飾り棚３２は、床３３上に配置された支持部材３４により支持されている。また、飾り棚３２の上方に所定の間隔を隔てて上段の飾り棚３５が略水平に配置されている。この飾り棚３５は、後端面が側枠３０の前面に接合されるとともに、垂直壁部２０ａ及び仕切り壁２２に埋め込み形式で支持されている。なお、図５から明らかなように、飾り棚３２、３５は空洞部２１内の窓２７の前方に配置され、空洞部２１外へは殆どはみ出していない。
【００２１】
左右一対の側枠３０の対向する内面には、各々前後一対の溝３０ａ、３０ｂ（図３中拡大図Ｂ参照）が上下方向に沿って形成されている。前方、つまり、室内寄りの溝３０ａ内には、上下幅の大きい窓部材３６が上下方向へ摺動自在に配置されている。また、後方、つまり、水平壁部２０ｂ寄りの溝３０ｂ内には、上下一対の上下幅の小さい窓部材３７、３８が各々上下方向へ摺動自在に配置されている。
【００２２】
図６から明らかなように、各窓部材３６乃至３８は、各々窓桟３６ａ乃至３８ａと窓板３６ｂ乃至３８ｂからなる。なお、図５中拡大図Ａ，Ｂから明らかなように、上枠３１及び飾り棚３２には各々溝３１ａ、３２ａが設けられ、窓部材３７、３８の閉状態で、窓部材３７、３８の窓桟３７ａ、３８ａがこれらの溝３１ａ、３２ａに嵌合するようになっている。
【００２３】
各窓部材３６乃至３８と側枠３０との間には不図示のばねが配置され、各窓部材３６乃至３８が任意の高さ位置に位置決めできるようになっている。なお、窓板３６ｂ乃至３８ｂは、例えば、擦りガラス等の不透明ガラス板から形成されるが、それ以外に不透明樹脂板、紙等の他の不透明材で形成されていてもよい。
【００２４】
図３に示したように、水平壁部２０ｂの内面側には、例えば、白色の樹脂板を貼り付けること等により光反射層４０が形成されている。この光反射層４０上の左右端部には、例えば、長尺の支持部材４１が上下方向に沿って３個ずつ取り付けられている。そして、各支持部材４１上に、照明器具として、例えば、上下方向へ延びる円柱状の蛍光ランプ４２が支持されている。なお、照明器具としては、蛍光ランプ４２以外に白熱ランプ等の任意の光源を用いることができる。
【００２５】
図３及び図４の点線部から明らかなように、蛍光ランプ４２は窓２７の各窓部材３６乃至３８の幅方向外方に位置しており、窓部材３６乃至３８を開放した状態でも、通常、茶の間１２内から蛍光ランプ４２が見えない配置とされている。
【００２６】
上記の構成において、通常は、図５のように、窓部材３７を側枠３０の上端部に、窓部材３８を側枠３０の下端部に、窓部材３６を窓部材３７、３８間に位置させることにより、窓２７を閉状態としておく。この状態で、蛍光ランプ４２を点灯すると、蛍光ランプ４２の照明光が各窓部材３６乃至３８に茶の間１２と反対側から照射される。
【００２７】
また、蛍光ランプ４２から水平壁部２０ｂ側へ照射された光は光反射層４０で反射され、やはり茶の間１２と反対側から窓部材３６乃至３８に照射される。これにより、あたかも窓２７全体が照明器具と化したかのように各窓部材３６乃至３８の窓板３６ｂ乃至３８ｂが明るくなり、窓２７を通して茶の間１２内が蛍光ランプ４２により間接的に照明される。
【００２８】
なお、窓板３６ｂ乃至３８ｂは、不透明ガラス板等の不透明材で形成されているので、蛍光ランプ４２の光が窓板３６ｂ乃至３８ｂを直接透過することがなく、不透明材の輝きによるほのかな間接照明を楽しむことができる。係る窓２７全体のほのかな輝きによる間接照明は、たとえて言えば、雪見障子、つまり、積雪時に屋外側の庭等に積もった雪の表面で反射された月光等が障子を屋外側から照らす場合の障子の輝きと同様の照明効果を与えることができるものである。
【００２９】
上記構成では、蛍光ランプ４２が窓２７の幅方向外方に配置されているので、蛍光ランプ４２の点灯時及び消灯時にかかわらず、茶の間１２側から蛍光ランプ４２の輪郭が窓板３６ｂ乃至３８ｂを通して透けて見えることはない。特に、本実施の形態のように、窓板３６ｂ乃至３８ｂを不透明材とした場合、茶の間１２側からは蛍光ランプ４２の輪郭は一切見えないものである。
【００３０】
また、飾り棚３２、３３には、図２に示したように、例えば、動物等の置物４３や羽子板４４等の適宜の装飾品を配置することができ、蛍光ランプ４２を点灯した場合、窓板３６ｂ乃至３８ｂを通した間接照明でこれら置物４３や羽子板４４等がライトアップされるものである。
【００３１】
なお、蛍光ランプ４２による間接照明のみでは、茶の間１２の明るさが不足しがちとなるので、必要により、天井４５に設けたシーリングライト４６等の照明器具と併用することができる。なお、蛍光ランプ４２を交換する必要がある場合等には、窓部材３６乃至３８を適宜上下方向へ移動させることにより、窓２７を開放することができる。
【００３２】
図７に本発明の第２の実施の形態を示す。この実施の形態の間接照明構造５０は、住宅５１の室５２における屋外側に面した壁５３に開口５４が設けられ、この開口５４内に上記第１の実施の形態と同様の窓２７が設けられている。
【００３３】
また、壁５３の屋外側に蛍光ランプ４２が設けられるとともに、この蛍光ランプ４２と窓２７とを覆うように、金属板、樹脂板その他の適宜の材料からなる遮蔽部材５５が配置されている。そして、遮蔽部材５５の内面側には、上記と同様の光反射層４０が設けられている。なお、ここでは、飾り棚３２、３５は省略している。この実施の形態では、壁５３を膨出させる代わりに、比較的薄い遮蔽部材５５を用いたので、製造コスト等の低減させることができる利点がある。
【００３４】
なお、上記の各実施の形態では、間接照明構造１７、５０に含まれる窓２７として、上下方向へスライドして開閉する窓部材３６乃至３８を有する場合を説明したが、窓部材は左右方向へスライドして開閉するもの、ヒンジを中心に回動して開閉するもの、或いは閉状態で固定されたもの等、種々の形式のものであってよい。また、光反射層４０は必ずしも設ける必要はない。
【００３５】
また、上記実施の形態では、屋外側に面した壁１８、５３に間接照明構造１７、５０を設ける場合を説明したが、本発明の間接照明構造は、例えば、屋内側の廊下に面した壁（または遮蔽部材）をこの廊下側に膨出させたり、隣室との間の間仕切り壁（または遮蔽部材）をこの隣室側へ膨出させて構成することも可能である。なお、壁を室外側へ膨出させる代わりに、壁を室内側へ突出させて、この突出壁部内に空洞部を形成し、この空洞部を利用して本発明の間接照明構造を構成するようにしてもよい。
【００３６】
【発明の効果】
以上説明したように、本発明の請求項１の間接照明構造は、住宅の室における室外側に面した壁の一部を室外側へ膨出させるように前記壁に対して垂直な垂直壁部と前記壁に対して平行な水平壁部とからなる膨出壁部を形成することによりこの膨出壁部の内方の室内側に空洞部を設け、該空洞部内に前記水平壁部と平行に所定の間隔を隔てて窓桟と窓板とを有する窓を設けるとともに、この窓と膨出壁部との間の空洞部内で前記窓の幅方向外方または上下方向外方の前記水平壁部に照明器具を配置したものであるから、上記膨出壁部により照明器具の明かりが室外側へ漏れることを防止しつつ、この照明器具により上記窓を通して室内を比較的弱い光で間接的に照明することができる。すなわち、窓全体を上記裏側から人工的に明るくすることによって室内側をほのかに照明するという特殊な間接照明効果を得ることができる。また、室内側から窓を見た際に、窓に照明器具の輪郭が写し出されることがなく、見栄えが良好なものとなる。
【００３７】
請求項２の間接照明構造は、請求項１の構成において、上記膨出壁部の内面に光反射層を設けたものであるから、上記照明器具から膨出壁部の内面に向けて照射された照明光が上記光反射層で反射されて上記窓を照明することになり、これにより、窓の裏側から窓に照射される光量を増加させて室内側の明るさを増すことができる。
【００４０】
請求項３の間接照明構造は、請求項１又は２のいずれかの構成において、上記窓板は不透明ガラス板等の不透明材からなるものであるから、例えば、窓に透明ガラスを装着した場合と異なり、照明器具の光が上記窓を直接透過することがなく、窓全体が室内と反対側からほのかに明るくされて、窓全体が照明器具と化したかのような特殊な間接照明効果を一層強調されるようになる。
【００４２】
請求項４の間接照明構造は、請求項１乃至４のいずれかの構成において、上記窓の室内側に飾り棚を略水平に設けたものであるから、所望により、この飾り棚上に装飾品等を配置することにより、見栄えが一層良好となる。また、上記照明器具を点灯した際に、装飾品もライトアップされて装飾性が一層向上する。
【図面の簡単な説明】
【図１】本発明の実施の形態に係る間接照明構造を有する住宅の１階部分を示す概略平面図。
【図２】上記間接照明構造が設けられた茶の間を示す概略斜視図。
【図３】上記間接照明構造を示す水平断面説明図。
【図４】上記間接照明構造を示す概略正面図。
【図５】図４のＶ−Ｖ線に沿う垂直断面説明図。
【図６】上記間接照明構造に含まれる窓を示す拡大分解斜視図。
【図７】本発明の第２の実施の形態に係る間接照明構造を示す水平断面説明図。
【符号の説明】
１２  茶の間（室）
１７、５０  間接照明構造
１８、５３  壁
２０  膨出壁部
２１  空洞部
２７  窓
３６ｂ乃至３８ｂ  窓板
３２、３５  飾り棚
４０  光反射層
４２  蛍光ランプ（照明器具）
５２  室
５４  開口
５５  遮蔽部材
【図１】
0003963005.tif 000002
【図２】
0003963005.tif 000003
【図３】
0003963005.tif 000004
【図４】
0003963005.tif 000005
【図５】
0003963005.tif 000006
【図６】
0003963005.tif 000007
【図７】
0003963005.tif 000008